(57)【要約】      （修正有）【課題】１本の脚に対して複数の取付部を天板に設けることなく、天板に対する脚の位置を変更することができる、テーブルを提供する。【解決手段】テーブル１は、天板２と、天板の下面の所定位置にある複数の取付部６のそれぞれに取り付けられる脚４とを備えるテーブルであって、脚４は、脚本体８と、脚本体８を天板２に取り付けるためのブラケット１０とを有し、ブラケット１０は、脚本体８が固定される第１の接続部１２と、第１の接続部１２から水平方向に離間した位置で、天板２の取付部６に取り付けられる第２の接続部１４とを有し、天板２の取付部６は、脚本体８が天板２の角部の下方に位置するときの第１の位置だけでなく、脚本体８が天板２の角部から水平方向にオフセットした位置の下方に位置するときの第２の位置においても、ブラケット１０の第２の接続部１４を取り付け可能なねじ穴を有する。【選択図】図８
2015092909.tif 000002
【特許請求の範囲】
【請求項１】
天板と、前記天板の下面の所定位置にある複数の取付部のそれぞれに取り付けられる脚とを備えるテーブルであって、
前記脚は、脚本体と、この脚本体を前記天板に取り付けるためのブラケットとを有し、
前記ブラケットは、前記脚本体が固定される第１の接続部と、この第１の接続部から水平方向に離間した位置で、前記天板の前記取付部に取り付けられる第２の接続部とを有し、
前記天板の前記取付部は、前記脚本体が前記天板の角部の下方に位置するときの第１の位置だけでなく、前記脚本体が前記天板の前記角部から水平方向にオフセットした位置の下方に位置するときの第２の位置においても、前記ブラケットの前記第２の接続部を取り付け可能な固定手段を有する、
ことを特徴とするテーブル。
【請求項２】
前記天板の前記取付部の前記固定手段は、前記天板の下面において正多角形の頂点を形成するように配置された複数のねじ穴を有し、
前記ブラケットの前記第２の接続部は、前記天板の前記取付部の前記複数のねじ穴が形成する正多角形と同一形状の正多角形の頂点を形成するように配置された複数の通し穴を有し、
前記固定手段は、更に、前記複数の通し穴が前記天板の前記取付部の前記複数のねじ穴と重なる任意の回転位置で、前記通し穴を介して前記ねじ穴にねじ込むねじを有する、
請求項１に記載のテーブル。
【請求項３】
前記第２の位置は、前記ブラケットの前記第２の接続部を、前記天板の前記取付部を中心として、前記第１の位置から９０°回転させた位置である、
請求項１又は２に記載のテーブル。
【請求項４】
前記天板は矩形であり、前記脚本体の外面は、互いに実質的に直角の角部を成す実質的に平らな面を少なくとも２面有しており、前記ブラケットの前記第２の接続部が前記第１の位置に位置するとき、前記２面が成す前記角部は前記天板の角部と一致するように配置されており、前記ブラケットの前記第２の接続部が前記第２の位置に位置するとき、前記２面のうちの一方の面が前記天板の縁部と一致するように配置されている、
請求項３に記載のテーブル。
【請求項５】
前記脚本体の外面は、互いに実質的に直角の角部を成す実質的に平らな２面と、これらの２面に連なる外向きに凸の曲面とによって形成されており、
前記脚本体は、前記２面が成す直角の角部が前記天板の中心に対して外側に向く位置と、前記曲面が前記天板の中心に対して外側に向く位置との間で、前記ブラケットの前記第１の接続部に選択的に取り付け可能である、
請求項１乃至３のいずれか１項に記載のテーブル。
【請求項６】
前記ブラケットの前記第２の接続部は、前記天板の下面への取付面とは反対側の面において、前記複数の通し穴が形成する正多角形と相似の正多角形の頂点を形成するように配置された複数のねじ穴を有し、
前記テーブルは、前記第２の接続部の前記ねじ穴に固定可能な付属部品を備える、
請求項２に記載のテーブル。
【請求項７】
前記付属部品は、前記ブラケットの前記第２の接続部の前記ねじ穴に固定されるベース部と、前記ベース部に固定されて水平方向に延びるアーム部と、前記アーム部の先端から上下方向に延びる平板状の係止部とを有する、
請求項６に記載のテーブル。
【発明の詳細な説明】
【技術分野】
【０００１】
本発明は、テーブルに関し、特に、天板と、天板の下面に取り付けられる複数の脚とを備えるテーブルに関する。
【背景技術】
【０００２】
従来、複数のテーブルを連結して使用することが行なわれている。例えば、天板の各角に脚が取り付けられた複数のテーブルを連結した場合、テーブルの連結位置に脚が存在するので、使用者が着席する際に邪魔になったり、物を置くことができない等、この連結位置近傍を有効に活用することができない。
【０００３】
そこで、脚の取り付け場所を変更できるようにしたテーブルが提案されている（例えば、特許文献１）。このテーブルの天板の下面には、隅部に位置する第１脚取付部と、この第１脚取付部より内方に位置する第２脚取付部が設けられており、脚を第２脚取付部に取り付けた状態で、天板を他のテーブルの天板と連結できるようになっている。即ち、特許文献１のテーブルでは、第１脚取付部と第２脚取付部との間で脚を並進移動させることにより、脚の取り付け場所が変更できるようになっている。
【先行技術文献】
【特許文献】
【０００４】
【特許文献１】特許第４２０４８１９号公報
【発明の概要】
【発明が解決しようとする課題】
【０００５】
しかしながら、特許文献１に記載されているような従来のテーブルでは、天板の下面に１本の脚に対して複数の取付部を設ける必要がある。例えば、取付部が複数のねじ穴である場合、天板の下面に複数の取付部として多数のねじ穴を設けなければならないので、製造コストの増大や美観の低下等の問題が生じる。
【０００６】
本発明は、上述した従来技術の問題点を解決するためになされたものであり、１本の脚に対して複数の取付部を天板に設けることなく、天板に対する脚の位置を変更することができる、テーブルを提供することを目的とする。
【課題を解決するための手段】
【０００７】
上記の目的を達成するために、本発明のテーブルは、天板と、天板の下面の所定位置にある複数の取付部のそれぞれに取り付けられる脚とを備えるテーブルであって、脚は、脚本体と、この脚本体を天板に取り付けるためのブラケットとを有し、ブラケットは、脚本体が固定される第１の接続部と、この第１の接続部から水平方向に離間した位置で、天板の取付部に取り付けられる第２の接続部とを有し、天板の取付部は、脚本体が天板の角部の下方に位置するときの第１の位置だけでなく、脚本体が天板の角部から水平方向にオフセットした位置の下方に位置するときの第２の位置においても、ブラケットの第２の接続部を取り付け可能な固定手段を有することを特徴とする。
このように構成された本発明においては、ブラケットの第２の接続部は、第１の位置及び第２の位置の何れの位置においても、天板の取付部の固定手段に取り付けることができ、これにより、天板に対する脚本体の位置を変更することができる。従って、１本の脚に対して複数の取付部を天板に設けることなく、天板に対する脚の位置を変更することができる。
【０００８】
また、本発明において、天板の取付部の固定手段は、天板の下面において正多角形の頂点を形成するように配置された複数のねじ穴を有し、ブラケットの第２の接続部は、天板の取付部の複数のねじ穴が形成する正多角形と同一形状の正多角形の頂点を形成するように配置された複数の通し穴を有し、固定手段は、更に、複数の通し穴が天板の取付部の複数のねじ穴と重なる任意の回転位置で、通し穴を介してねじ穴にねじ込むねじを有する。
このように構成された本発明においては、天板の取付部の固定手段が有する複数のねじ穴及びブラケットの第２の接続部の複数の通し穴により形成される正多角形の頂点の数に応じた複数の回転位置で、ブラケットの第２の接続部を天板の取付部に取り付けることができるので、簡易な構成により、１本の脚に対して複数の取付部を天板に設けることなく、天板に対する脚の位置を様々に変更することができる。
【０００９】
また、本発明において、第２の位置は、ブラケットの第２の接続部を、天板の取付部を中心として、第１の位置から９０°回転させた位置である。
このように構成された本発明においては、ブラケットの第２の接続部を第１の位置と第２の位置との間で回転させるだけで、脚本体の位置を、天板の取付部を中心として９０°回転した位置に変更することができる。
【００１０】
また、本発明において、天板は矩形であり、脚本体の外面は、互いに実質的に直角の角部を成す実質的に平らな面を少なくとも２面有しており、ブラケットの第２の接続部が第１の位置に位置するとき、２面が成す角部は天板の角部と一致するように配置されており、ブラケットの第２の接続部が第２の位置に位置するとき、２面のうちの一方の面が天板の縁部と一致するように配置されている。
このように構成された本発明においては、ブラケットの第２の接続部が第１の位置に位置するときには、天板の角部の下方に位置する脚本体の外面が成す角部の形状と、天板の角部の形状とを一致させることができる。また、テーブルを連結して使用する場合に、ブラケットの第２の接続部を第２の位置に位置させると、互いに隣接する各テーブルの連結側にある脚の脚本体同士が平面で当接するので、２本の脚本体で一体的な形状を成すことができる。
【００１１】
また、本発明において、脚本体の外面は、互いに実質的に直角の角部を成す実質的に平らな２面と、これらの２面に連なる外向きに凸の曲面とによって形成されており、脚本体は、２面が成す直角の角部が天板の中心に対して外側に向く位置と、曲面が天板の中心に対して外側に向く位置との間で、ブラケットの第１の接続部に選択的に取り付け可能である。
このように構成された本発明においては、天板の中心に対して外側に向く脚本体の外面の形状を、天板の角の形状等に合わせて容易に変更することができる。
【００１２】
また、本発明において、ブラケットの第２の接続部は、天板の下面への取付面とは反対側の面において、複数の通し穴が形成する正多角形と相似の正多角形の頂点を形成するように配置された複数のねじ穴を有し、テーブルは、第２の接続部のねじ穴に固定可能な付属部品を備える。
このように構成された本発明においては、テーブルの付属部品を、様々な方向でブラケットの第２の接続部に固定することができる。更に、付属部品を固定するためのねじ穴は、ブラケットの第２の接続部の複数の通し穴が形成する正多角形と相似の正多角形の頂点を形成するように配置されているので、天板の取付部に対するブラケットの回転位置を変更した場合においても、天板する付属部品の位置が変わらないように、付属部品をブラケットの第２の接続部に固定することができる。
【００１３】
また、本発明において、付属部品は、ブラケットの第２の接続部のねじ穴に固定されるベース部と、ベース部に固定されて水平方向に延びるアーム部と、アーム部の先端から上下方向に延びる平板状の係止部とを有する。
このように構成された本発明においては、平板状の係止部はアーム部の先端から上下方向に延びているので、アーム部に掛けられた鞄や、アーム部に巻き付けられたケーブルが、アーム部から脱落することを確実に防止できる。
【発明の効果】
【００１４】
本発明によるテーブルによれば、１本の脚に対して複数の取付部を天板に設けることなく、天板に対する脚の位置を変更することができる。
【図面の簡単な説明】
【００１５】
【図１】本発明の実施形態によるテーブルを斜め上方から見た斜視図である。
【図２】本発明の実施形態によるテーブルを斜め下方から見た斜視図である。
【図３】本発明の実施形態によるテーブルの脚を斜め上方から見た分解斜視図である。
【図４】図３の脚の底面図であり、図４（ａ）は脚の角面を外側に向けた場合を示す底面図、図４（ｂ）は脚のＲ面を外側に向けた場合を示す底面図である。
【図５】本発明の実施形態による天板の取付部近傍の拡大斜視図である。
【図６】本発明の実施形態による天板の取付部近傍の拡大斜視図である。
【図７】連結された本発明の実施形態によるテーブルを斜め上方から見た斜視図である。
【図８】連結された本発明の実施形態によるテーブルを斜め下方から見た斜視図である。
【図９】本発明の実施形態による係止フックを固定したブラケットを示す拡大斜視図である。
【図１０】本発明の実施形態による係止フック及びＣＰＵボックスを固定した脚を示す拡大斜視図である。
【図１１】本発明の実施形態によるテーブルの斜視図である。
【図１２】本発明の実施形態によるテーブルの斜視図である。
【図１３】本発明の実施形態によるテーブルの正面図である。
【図１４】本発明の実施形態によるテーブルの左側面図である。
【図１５】本発明の実施形態によるテーブルの右側面図である。
【図１６】本発明の実施形態によるテーブルの平面図である。
【図１７】本発明の実施形態によるテーブルの底面図である。
【図１８】図１３のＡ−Ａ部分拡大図である。
【図１９】図１３のＢ−Ｂ部分拡大図である。
【図２０】本発明の実施形態によるテーブル用脚の斜視図である。
【図２１】本発明の実施形態によるテーブル用脚の正面図である。
【図２２】本発明の実施形態によるテーブル用脚の背面図である。
【図２３】本発明の実施形態によるテーブル用脚の左側面図である。
【図２４】本発明の実施形態によるテーブル用脚の右側面図である。
【図２５】本発明の実施形態によるテーブル用脚の平面図である。
【図２６】本発明の実施形態によるテーブル用脚の底面図である。
【図２７】図２１のＣ−Ｃ部分拡大図である。
【図２８】図２６のＤ−Ｄ、Ｅ−Ｅ部分拡大図である。
【図２９】本発明の実施形態によるテーブル用脚取付ブラケットの斜視図である。
【図３０】本発明の実施形態によるテーブル用脚取付ブラケットの背面側斜視図である。
【図３１】本発明の実施形態によるテーブル用脚取付ブラケットの正面図である。
【図３２】本発明の実施形態によるテーブル用脚取付ブラケットの背面図である。
【図３３】本発明の実施形態によるテーブル用脚取付ブラケットの左側面図である。
【図３４】本発明の実施形態によるテーブル用脚取付ブラケットの右側面図である。
【図３５】本発明の実施形態によるテーブル用脚取付ブラケットの平面図である。
【図３６】本発明の実施形態によるテーブル用脚取付ブラケットの底面図である。
【発明を実施するための形態】
【００１６】
以下、添付図面を参照して、本発明の実施形態によるテーブルを説明する。
まず、図１及び図２により、本発明の実施形態によるテーブルについて説明する。図１は本発明の実施形態によるテーブルを斜め上方から見た斜視図であり、図２は本発明の実施形態によるテーブルを斜め下方から見た斜視図である。
【００１７】
図１及び図２に示すように、テーブル１は、正方形の天板２と、天板２の下面に取り付けられる４本の脚４とを備えている。
図２に示すように、天板２の下面には、天板２の各角から中央方向にオフセットして配置された複数の取付部６が設けられている。各取付部６は、正方形の頂点を形成するように配置された４つのねじ穴６ａを有している。
また、各脚４は、脚本体８と、脚本体８を天板２の取付部６に取り付けるためのブラケット１０とを有している。
【００１８】
次に、図３及び図４により、本発明の実施形態によるテーブル１の脚４について説明する。図３は本発明の実施形態によるテーブル１の脚４を斜め上方から見た分解斜視図であり、図４は図３の脚４の底面図であり、図４（ａ）は脚４の角面を外側に向けた場合を示す底面図、図４（ｂ）は脚４のＲ面を外側に向けた場合を示す底面図である。
【００１９】
図３に示すように、ブラケット１０は、脚本体８が固定される第１の接続部１２と、この第１の接続部１２から水平方向に離間した位置で、天板２の取付部６に取り付けられる第２の接続部１４とを有している。
第２の接続部１４は、正方形の枠状に形成されている。この第２の接続部１４の各角部に、天板２の取付部６のねじ穴６ａが形成する正方形と同一形状の正方形の頂点を形成するように、４つの通し穴１４ａが形成されている。即ち、第２の接続部１４の４つの通し穴１４ａは、天板２の取付部６の４つのねじ穴６ａに重ねることができるように配置されている。
また、第１の接続部１２は、第２の接続部１４の対角線の延長線に沿って、第２の接続部１４の１つの角部から外側に水平方向に延びる棒状に形成されている。脚本体８は、第１の接続部１２の先端部に固定される。
【００２０】
次に、図４に示すように、脚本体８の断面形状は、外向きに凸の直角を成す２辺と、これらの２辺を結ぶ外向きに凸の曲線とによって形成されている。即ち、脚本体８の側面は、互いに隣接して外向きに凸の角面１６を形成するように脚本体８の長手方向に沿って延びる２つの平面１６ａと、角面１６の反対側において外向きに凸の曲面を形成するように脚本体８の長手方向に沿って延びるＲ面１８とを有する。
脚本体８は、図４（ａ）に示すように、角面１６が天板２の中心に対して外側（図４（ａ）中の矢印方向）に向く回転位置と、Ｒ面１８が天板２の中心に対して外側（図４（ｂ）中の矢印方向）に向く回転位置との間で、脚本体８を１８０°回転させてブラケット１０の第１の接続部１２に選択的に取り付け可能となっている。
具体的には、脚本体８の上端面には、正方形の頂点を形成するように、４つのねじ穴２０が設けられている。また、第１の接続部１２の先端部には、脚本体８の４つのねじ穴２０により形成される正方形と同一形状の正方形の頂点を形成するように、４つの通し穴２２が形成されている。
即ち、脚本体８は、脚本体８の４つのねじ穴２０が第１の接続部１２の４つの通し穴２２と重なる任意の回転位置で、第１の接続部１２の通し穴２２を介して脚本体８のねじ穴２０にねじ込まれたねじにより第１の接続部１２に固定される。
【００２１】
次に、図５乃至図８により、天板２への脚４の取り付けについて説明する。図５及び図６は、本発明の実施形態による天板２の取付部６近傍の拡大斜視図であり、図７は、連結された本発明の実施形態によるテーブル１を斜め上方から見た斜視図であり、図８は、連結された本発明の実施形態によるテーブル１を斜め下方から見た斜視図である。
【００２２】
上述したように、天板２の取付部６の４つのねじ穴６ａと、ブラケット１０の第２の接続部１４の４つの通し穴１４ａとは、同一形状の正方形の頂点を形成するように配置されているので、ブラケット１０の第２の接続部１４は、天板２の取付部６の４つのねじ穴６ａとブラケット１０の第２の接続部１４の４つの通し穴１４ａとが重なる任意の回転位置、即ち天板２の取付部６に対して９０°ずつ回転する任意の回転位置で、天板２の取付部６に取り付けられる。
【００２３】
まず、図５では、ブラケット１０の第２の接続部１４は、脚本体８が天板２の角部の下方に位置する第１の位置で、天板２の取付部６に取り付けられている。この第１の位置では、ブラケット１０の第２の接続部１４の４つの通し穴１４ａが、天板２の取付部６の４つのねじ穴６ａに重なっており、これらの通し穴１４ａを介して天板２の取付部６のねじ穴６ａにねじ込まれたねじにより、ブラケット１０が取付部６に取り付けられている。
【００２４】
次に、図６では、ブラケット１０の第２の接続部１４は、脚本体８が天板２の角部から天板２の縁に沿って水平方向にオフセットした位置の下方に位置する第２の位置で、天板２の取付部６に取り付けられている。この第２の位置においても、上述した第１の位置の場合と同様に、ブラケット１０の第２の接続部１４の４つの通し穴１４ａが、天板２の取付部６の４つのねじ穴６ａに重なっており、これらの通し穴１４ａを介して天板２の取付部６のねじ穴６ａにねじ込まれたねじにより、ブラケット１０が取付部６に取り付けられている。この第２の位置は、ブラケット１０の第２の接続部１４を、天板２の取付部６を中心として上記の第１の位置から９０°回転させた位置となっている。
【００２５】
図７及び図８の例では、２台のテーブル１が連結されている。この２台のテーブル１の各脚４の内、テーブル１の連結側にある脚４については、ブラケット１０の第２の接続部１４が第２の位置で天板２の取付部６に取り付けられている。上述したように、第２の位置では、脚本体８が天板２の角部から天板２の縁に沿って水平方向にオフセットした位置の下方に位置する。従って、図８に示すように、各テーブル１の連結側にある脚４の脚本体８は、連結された２台のテーブル１の連続する縁からテーブル１の中央側にオフセットして配置される。即ち、連結された２台のテーブル１の縁に脚本体８が存在しないので、連結位置近傍を有効に活用することが可能になる。
【００２６】
また、図７及び図８の例では、各テーブル１の各脚４の脚本体８は、角面１６が天板２の中心に対して外側に向く回転位置でブラケット１０の第１の接続部１２に取り付けられている。各テーブル１の連結側にある脚４について、このように角面１６が天板２の中心に対して外側に向く回転位置で脚本体８が取り付けられたブラケット１０の第２の接続部１４を、第２の位置で天板２の取付部６に取り付けると、脚本体８の角面１６を形成する２つの平面１６ａの一方が、天板２の縁部と一致するように配置される。これにより、図８に示すように、テーブル１の連結側にある脚４の脚本体８の角面１６を形成する平面１６ａが、連結相手のテーブル１の連結側にある脚４の脚本体８の角面１６を形成する平面１６ａと当接し、２本の脚本体８で一体的な形状を成すようになっている。
【００２７】
次に、図９及び図１０により、テーブル１の付属部品について説明する。図９は、本発明の実施形態による係止フックを固定したブラケット１０を示す拡大斜視図であり、図１０は、本発明の実施形態による係止フック及びＣＰＵボックスを固定した脚４を示す拡大斜視図である。
【００２８】
まず、図９に示すように、ブラケット１０の第２の接続部１４は、天板２の下面への取付面とは反対側の面において、正方形の頂点を形成するように配置された４つのねじ穴２４を有している。そして、これらのねじ穴２４に付属部品が固定される。
【００２９】
付属部品としては、テーブル１と共に用いられる各種製品を用いることができ、例えば、図９では、鞄やケーブルを係止する係止フック２６がブラケット１０の第２の接続部１４に固定される。
この係止フック２６は、ブラケット１０の第２の接続部１４のねじ穴２４に固定されるベース部２８と、ベース部２８に固定されて水平方向に延びるアーム部３０と、アーム部３０の先端から上下方向に延びる平板状の係止部３２とを有する。図９の例では、ベース部２８には、ブラケット１０の第２の接続部１４の２つのねじ穴２４と重ねられるように配置された２つの通し穴３４が設けられており、これらの通し穴３４を介してブラケット１０の第２の接続部１４のねじ穴２４にねじ込まれたねじ３６により、ベース部２８がブラケット１０に固定される。ベース部２８は、ベース部２８の通し穴３４がブラケット１０の第２の接続部１４のねじ穴２４と重なる任意の位置でブラケット１０に固定することができる。即ち、図９の例では、係止フック２６のベース部２８を、正方形の枠状のブラケット１０の第２の接続部１４の各辺に固定することができる。
また、上記のように、平板状の係止部３２はアーム部３０の先端から上下方向に延びているので、アーム部３０に掛けられた鞄や、アーム部３０に巻き付けられたケーブルが、アーム部３０から脱落することを確実に防止できるようになっている。
【００３０】
また、図１０に示すように、付属部品として、デスクトップ型パソコンの本体を収容するためのＣＰＵボックス３８をブラケット１０の第２の接続部１４に固定することもできる。このＣＰＵボックス３８は、パソコン本体が載置される水平面に平行な長方形の底板４０と、底板４０の両長辺からそれぞれ垂直に上方に延びる２枚の側板４２と、これらの２枚の側板４２の上端間に配置され、ブラケット１０の第２の接続部１４のねじ穴２４に固定される、水平面に平行な接続板４４とを備えている。
接続板４４には、ブラケット１０の第２の接続部１４の４つのねじ穴２４と重ねられるように配置された４つの通し穴４６が設けられており、これらの通し穴４６を介してブラケット１０の第２の接続部１４のねじ穴２４にねじ込まれたねじにより、接続板４４がブラケット１０に固定される。
また、側板４２と接続板４４との連結部分近傍において、側板４２に開口４８が設けられており、この開口４８に係止フック２６のアーム部３０を挿通可能になっている。即ち、図１０に示すように、ＣＰＵボックス３８をブラケット１０の第２の接続部１４に固定すると共に、係止フック２６のアーム部３０をＣＰＵボックス３８の側板４２の開口４８を介して外側に突出させた状態で係止フック２６をブラケット１０の第２の接続部１４に固定する。これにより、ＣＰＵボックス３８と係止フック２６を同時に使用することができる。
【００３１】
次に、上述した本発明の実施形態によるテーブル１の作用効果を説明する。
まず、本発明の実施形態によれば、ブラケット１０の第２の接続部１４は、第１の位置及び第２の位置の何れの位置においても、天板２の取付部６のねじ穴６ａに取り付けることができ、これにより、天板２に対する脚本体８の位置を変更することができる。従って、１本の脚４に対して複数の取付部６を天板２に設けることなく、天板２に対する脚４の位置を変更することができる。
【００３２】
また、天板２の取付部６の４つのねじ穴６ａ及びブラケット１０の第２の接続部１４の４つの通し穴１４ａにより形成される正方形の頂点の数に応じた複数の回転位置で、ブラケット１０の第２の接続部１４を天板２の取付部６に取り付けることができるので、簡易な構成により、１本の脚４に対して複数の取付部６を天板２に設けることなく、天板２に対する脚４の位置を様々に変更することができる。
【００３３】
また、ブラケット１０の第２の接続部１４を第１の位置と第２の位置との間で回転させるだけで、脚本体８の位置を、天板２の取付部６を中心として９０°回転した位置に変更することができる。
【００３４】
また、ブラケット１０の第２の接続部１４が第１の位置に位置するときには、天板２の角部の下方に位置する脚本体８の外面が成す角部の形状と、天板２の角部の形状とを一致させることができる。また、テーブル１を連結して使用する場合に、ブラケット１０の第２の接続部１４を第２の位置に位置させると、互いに隣接する各テーブル１の連結側にある脚４の脚本体８同士が平面１６ａで当接するので、２本の脚本体８で一体的な形状を成すことができる。
【００３５】
また、天板２の中心に外側に向く脚本体８の外面の形状を、天板２の角の形状等に合わせて容易に変更することができる。
【００３６】
また、テーブル１の付属部品を、様々な方向でブラケット１０の第２の接続部１４に固定することができる。更に、付属部品を固定するためのねじ穴２４は、ブラケット１０の第２の接続部１４の４つの通し穴１４ａと同様に正方形の頂点を形成するように配置されているので、天板２の取付部６に対するブラケット１０の回転位置を変更した場合においても、天板２に対する付属部品の位置が変わらないように、付属部品をブラケット１０の第２の接続部１４に固定することができる。
【００３７】
また、平板状の係止部３２はアーム部３０の先端から上下方向に延びているので、アーム部３０に掛けられた鞄や、アーム部３０に巻き付けられたケーブルが、アーム部３０から脱落することを確実に防止できる。
【００３８】
図１１乃至図３６により、本発明の実施形態によるテーブル１、テーブル用脚４、及び、テーブル用脚取付ブラケット１０の形状を示す。
図１１は、本発明の実施形態によるテーブル１の斜視図であり、図１２は、本発明の実施形態によるテーブル１の斜視図であり、図１３は、本発明の実施形態によるテーブル１の正面図であり、図１４は、本発明の実施形態によるテーブル１の左側面図であり、図１５は、本発明の実施形態によるテーブル１の右側面図であり、図１６は、本発明の実施形態によるテーブル１の平面図であり、図１７は、本発明の実施形態によるテーブル１の底面図であり、図１８は、図１３のＡ−Ａ部分拡大図であり、図１９は、図１３のＢ−Ｂ部分拡大図である。
また、図２０は、本発明の実施形態によるテーブル用脚４の斜視図であり、図２１は、本発明の実施形態によるテーブル用脚４の正面図であり、図２２は、本発明の実施形態によるテーブル用脚４の背面図であり、図２３は、本発明の実施形態によるテーブル用脚４の左側面図であり、図２４は、本発明の実施形態によるテーブル用脚４の右側面図であり、図２５は、本発明の実施形態によるテーブル用脚４の平面図であり、図２６は、本発明の実施形態によるテーブル用脚４の底面図であり、図２７は、図２６のＤ−Ｄ、Ｅ−Ｅ部分拡大図であり、図２８は、図２１のＣ−Ｃ部分拡大図である。
また、図２９は、本発明の実施形態によるテーブル用脚取付ブラケット１０の斜視図であり、図３０は、本発明の実施形態によるテーブル用脚取付ブラケット１０の背面側斜視図であり、図３１は、本発明の実施形態によるテーブル用脚取付ブラケット１０の正面図であり、図３２は、本発明の実施形態によるテーブル用脚取付ブラケット１０の背面図であり、図３３は、本発明の実施形態によるテーブル用脚取付ブラケット１０の左側面図であり、図３４は、本発明の実施形態によるテーブル用脚取付ブラケット１０の右側面図であり、図３５は、本発明の実施形態によるテーブル用脚取付ブラケット１０の平面図であり、図３６は、本発明の実施形態によるテーブル用脚取付ブラケット１０の底面図である。
図１１乃至図３６においては、本発明によるテーブル１、テーブル用脚４、及び、テーブル用脚取付ブラケット１０の形状において特徴のある部分を実線で表し、残りの部分を破線で表している。
【００３９】
以上、本発明の実施形態を説明したが、本発明の具体的な構成及び手段は、特許請求の範囲に記載した各発明の技術的思想の範囲内において、任意に改変及び改良することができる。
【００４０】
まず、上記の説明では、正方形の天板２を備えたテーブル１の実施形態を例示したが、天板の形状は正方形に限られず、長方形や多角形を含む各種の形状の天板を備えたテーブルについても本発明を適用できる。
【００４１】
また、上記の説明では、天板２の取付部６は、正方形の頂点を形成するように配置された４つのねじ穴６ａを有し、ブラケット１０の第２の接続部１４は、天板２の取付部６のねじ穴６ａが形成する正方形と同一形状の正方形の頂点を形成するように配置された４つの通し穴１４ａを有すると説明したが、これとは異なる形状でねじ穴６ａ及び通し穴１４ａを配置してもよい。
例えば、天板２の取付部６は、正６角形の頂点を形成するように配置された６つのねじ穴６ａを有し、ブラケット１０の第２の接続部１４は、天板２の取付部６のねじ穴６ａが形成する正６角形と同一形状の正６角形の頂点を形成するように配置された６つの通し穴１４ａを有するようにしてもよい。この場合、天板２の取付部６の６つのねじ穴６ａと、ブラケット１０の第２の接続部１４の６つの通し穴１４ａとは、同一形状の正６角形の頂点を形成するように配置されているので、ブラケット１０の第２の接続部１４は、天板２の取付部６の６つのねじ穴６ａとブラケット１０の第２の接続部１４の６つの通し穴１４ａとが重なる任意の回転位置、即ち天板２の取付部６に対して６０°ずつ回転する任意の回転位置で、天板２の取付部６に取り付けられる。
さらに、この場合には、ブラケット１０の第２の接続部１４は、天板２の下面への取付面とは反対側の面において、正６角形の頂点を形成するように６つのねじ穴２４を配置することが好ましい。これにより、天板２の取付部６に対するブラケット１０の回転位置を変更した場合においても、天板２に対する付属部品の位置が変わらないように、付属部品をブラケット１０の第２の接続部１４に固定することができる。
【符号の説明】
【００４２】
１  テーブル
２  天板
４  脚
６  取付部
６ａ  ねじ穴
８  脚本体
１０  ブラケット
１２  第１の接続部
１４  第２の接続部
１４ａ  通し穴
１６  角面
１６ａ  平面
１８  Ｒ面
２０  ねじ穴
２２  通し穴
２４  ねじ穴
２６  係止フック
２８  ベース部
３０  アーム部
３２  係止部
３４  通し穴
３６  ねじ
３８  ＣＰＵボックス
４０  底板
４２  側板
４４  接続板
４６  通し穴
４８  開口
【図１】
2015092909.tif 000003
【図２】
2015092909.tif 000004
【図３】
2015092909.tif 000005
【図４】
2015092909.tif 000006
【図５】
2015092909.tif 000007
【図６】
2015092909.tif 000008
【図７】
2015092909.tif 000009
【図８】
2015092909.tif 000010
【図９】
2015092909.tif 000011
【図１０】
2015092909.tif 000012
【図１１】
2015092909.tif 000013
【図１２】
2015092909.tif 000014
【図１３】
2015092909.tif 000015
【図１４】
2015092909.tif 000016
【図１５】
2015092909.tif 000017
【図１６】
2015092909.tif 000018
【図１７】
2015092909.tif 000019
【図１８】
2015092909.tif 000020
【図１９】
2015092909.tif 000021
【図２０】
2015092909.tif 000022
【図２１】
2015092909.tif 000023
【図２２】
2015092909.tif 000024
【図２３】
2015092909.tif 000025
【図２４】
2015092909.tif 000026
【図２５】
2015092909.tif 000027
【図２６】
2015092909.tif 000028
【図２７】
2015092909.tif 000029
【図２８】
2015092909.tif 000030
【図２９】
2015092909.tif 000031
【図３０】
2015092909.tif 000032
【図３１】
2015092909.tif 000033
【図３２】
2015092909.tif 000034
【図３３】
2015092909.tif 000035
【図３４】
2015092909.tif 000036
【図３５】
2015092909.tif 000037
【図３６】
2015092909.tif 000038